(57)【要約】【課題】組立てと同時に、両面でパネルの押縁ができるため、その組立て作業性も至って簡単であるとともに、美の原則としての均等性に適合し、しかも、両面押縁有りの均等態勢でパネルが枠材と直接触れないため、割れ、へこみが生じることもなくなる間仕切を提供する。【解決手段】押出形材の枠材でパネルを枠組みしてなり、その枠材にパネルが嵌着される蟻溝が形成されている間仕切において、押出形材のアタッチメントを介してその嵌着がなされ、アタッチメントは、蟻溝の開口部に納まるチャンネル状の硬質本体と、該チャンネル口の両縁部に逆拝み状に傾斜して突設される一対の軟質ヒレとからなり、アタッチメントにパネルの端縁が差し込まれ、両軟質ヒレが押縁としてパネルを押え止めてなることを特徴とする。【選択図】    図１
2015045155.tif 000002
【特許請求の範囲】
【請求項１】
押出形材の枠材でパネルを枠組みしてなり、その枠材にパネルが嵌着される蟻溝が形成されている間仕切において、押出形材のアタッチメントを介してその嵌着がなされ、アタッチメントは、蟻溝の開口部に納まるチャンネル状の硬質本体と、該チャンネル口の両縁部に逆拝み状に傾斜して突設される一対の軟質ヒレとからなり、アタッチメントにパネルの端縁が差し込まれ、両軟質ヒレが押縁としてパネルを押え止めてなることを特徴とする間仕切。
【請求項２】
アタッチメントのチャンネル状の両側上端に、枠材の蟻溝の口縁両部片の上に掛止する外鍔と、その下に通過して係合する凸条とを突設してあることを特徴とする請求項１記載の間仕切。
【請求項３】
アタッチメントのチャンネル状の両側上端に、内向する内鍔を突設し、内鍔の先端に軟質ヒレが下向き傾斜に突設されていることを特徴とする請求項１又は２記載の間仕切。
【発明の詳細な説明】
【技術分野】
【０００１】
この発明は、主として、マンションやアパート等のベランダにおいて隣接区分との境に使用される間仕切に関する。
【背景技術】
【０００２】
同じ棟に多数の区分建物が配列されるマンションやアパート等では、手摺を有するベランダを通しに建設されるが、プライバシー確保のために隣接区分との間に間地切が設置される。
【０００３】
従来、上記のようなベランダ等の間仕切は、左右竪枠と上下枠とで枠組みされ、中桟（本明細書では中枠ということにする）を有する骨組み構造であって、中枠を中心に上下にパネルが嵌め込まれるが、パネルが外れないように、上記縦枠、上下枠、中枠等の枠材にパネルが保持される蟻溝が設けられている。また、がたつかない固定手段として、嵌着溝とパネルとの間の隙間に太いゴムのビードを押し込んで止めていた。
【発明の概要】
【発明が解決しようとする課題】
【０００４】
しかしながら、上記のような従来の間仕切であると、パネルの外れ、がたつき等の不都合がないように、前記のようにビードが押縁として用いられるが、僅かの隙間にビードを押し込む非常に難しい手作業となるため、片側のみにビード３６が用いられ（他方はビード無し、図６）、しかも、これ専門とも言える熟練した特別の作業員を配置する必要があり、また、ビードの押し込みに時間がかかり作業性が悪かった。
【０００５】
完成した間仕切は、図５に示すように、建物躯体の壁と手摺との間に納めて両方に金具３８で連結して据え付けられる。しかし、パネルの片面４０が硬質の枠材４２と接触状態にあるため、殊に外圧を受けると、パネル（ケイカル板等）に醜く割れや凹みが生じやすかった。なお、パネルは、いざという場合の避難通路を確保する必要から蹴破ることのできるよう丈夫さを抑制して脆く材質が選択されている。したがって、ビードは強度的安全面からすると、両面に入っていることが望ましいと言える。しかし、ビードではこれができなかった。
【０００６】
また、美観については、ビードが見苦しく捻じれる作業ミスが避けられなく、作業ミスがなくても、ビードは片面に限られるため、ビードの有る無しが隣接区分間又左右一対間に生じることになる。これは美の基本原則（均等性）から外れるために問題であった。
【０００７】
この発明は、上記のような実情に鑑みて、組立てと同時に、両面でパネルの押縁ができるため、その組立て作業性も至って簡単であるとともに、美の原則としての均等性に適合し、しかも、両面押縁有りの均等態勢でパネルが枠材と直接触れないため、割れ、へこみが生じることもなくなる間仕切を提供することを課題とした。
【課題を解決するための手段】
【０００８】
上記の課題を解決するために、この発明は、押出形材の枠材でパネルを枠組みしてなり、その枠材にパネルが嵌着される蟻溝が形成されている間仕切において、押出形材のアタッチメントを介してその嵌着がなされ、アタッチメントは、蟻溝の開口部に納まるチャンネル状の硬質本体と、該チャンネル口の両縁部に逆拝み状に傾斜して突設される一対の軟質ヒレとからなり、アタッチメントにパネルの端縁が差し込まれ、両軟質ヒレが押縁としてパネルを押え止めてなることを特徴とする間仕切を提供する。
【０００９】
間仕切を上記のように構成したから、枠材を所定の障子構造に組立てると同時に、アタッチメントを蟻溝に、又パネルの端縁はアタッチメントにそれぞれ差し込んで組み合わせる。そうすると、両面でパネルに軟質ヒレが押し付けられる均等な両面押縁構造となる。
【発明の効果】
【００１０】
以上説明したように、この発明の間仕切によれば、組立てと同時に、両面でパネルの押縁ができ、その組立て作業性も至って簡単であるために、熟練した専門の作業員を配置する必要がなくなり、また、美の原則としての均等性に適合するので、隣接区分の使用に適し、しかも、両面押縁有りとしてパネルを軟質ヒレで保持するため、蹴破ることのできる脆いパネルでも、割れ、へこみが生じることがなくなるという優れた効果がある。
【図面の簡単な説明】
【００１１】
【図１】この発明に係る間仕切の組立て要領を示し、その一部の破断した分解斜視図である。
【図２】同じく組立て要領で要部を示した拡大断面図である。
【図３】同組み立てた状態を示す間仕切の正面図である。
【図４】同図のA-A線矢視の拡大断面図である。
【図５】間仕切の使用状態を示すベランダの断面図である。
【図６】従来例の説明図である。
【発明を実施するための形態】
【００１２】
この発明において、パネル１とは、蹴破ることのできるケイカル板ないし石膏ボード等であって、ガラスとは違って摩擦が大きく軽量であるために、両軟質ヒレの逆止め状の接触により確実に挟み安定して保持される。
【００１３】
間仕切の骨組みとなる枠材９，１１，１３は、所定箇所に蟻溝１９を有すれば、その形状を特に問うものではない。例えば、下記実施例に二段に横壁１５,１５を有する形状を示したが、一段の横壁であっても良い。
【実施例１】
【００１４】
図面は、一般的なものとして、ベランダの仕切りに使用する間仕切Ｐとして実施したもので（図５参照）、本体枠組１は、障子型であって、アタッチメント５，５、・・を介して上下にパネル３，３が嵌め込まれ、パネルが両面で保護される表裏対称構造である。これが従来のビード（図６）との違いである。
【００１５】
本体枠組１は、それぞれアルミ押出形材からなる左右竪枠９，９と上下枠１１，１１と中枠１３とから骨組みが組み立てられる。各枠は、それぞれ同じ断面形状であって、こうして同一形材による経費削減がなされる。
【００１６】
形材の断面形状については、両面側壁１４，１４の間に上下一対の連結横壁１５，１５を有する基本形であって、上下両端部は連結横壁１５，１５を底辺とし、口狭く口縁両部片１７，１７を有する蟻溝１９に形成される。また、一方の連結横壁１５に、本体骨組１として組立てるためのビスポケット２１が設けられる。
【００１７】
アタッチメント５は、例えばプラスチック（例えば硬質の塩化ビニール樹脂）で押出成形された長尺のチャンネル状部材であって、蟻溝１９の口部に納まるチャンネル状の硬質本体２３を形成するとともに、これと一体に軟質ヒレ（例えば軟質の塩化ビニール樹脂製）２５，２５が備えられている。また、硬質本体２３は、口縁部を断面Ｔ字形に形成することで、内外に突出する内鍔２７および外鍔２８が形成される。
【００１８】
軟質ヒレ２５，２５は、口縁両部片２７，２７の内端より突設され、両方が逆拝み状に落ち込むように傾斜し、先端にゆくにつれて薄手に形成されている。したがって、パネル３に脱出しないよう逆止め作用が強力に働く。外鍔２８は、枠材の口縁両部片１７，１７の上に掛かるもので、その下方には、該口縁両部片１７の下に係る係合凸条２９が対に設けられる。なお、硬質本体２３の弾性変形をともなって通過するように、断面山形に係合凸条２９，２９が形成される。
【００１９】
図１は、組立て要領において間仕切Ｐの一部を示したもので、本体骨組１を組み立てる手順にアタッチメント５とともにパネル３が嵌め込まれる。この時において、アタッチメント５は、パネル３又は蟻溝１９のいずれかに先行して嵌め込まれることになる。外面に抜け止の係合凸条２９，２９を有するので、蟻溝１９に先に嵌め込んで、脱落しない状態に先に止めておくことができる。軟質ヒレ２５，２５が逆拝みの抜け止め形状（差し込んだら容易に抜けない形状）であり、動かない摩擦作用もあるので、パネル１に先止めするのが良い場合が多い。図１では、パネル１に先止めした場合を示している（矢印参照）。
【００２０】
組み立てた状態では、表裏同一にあらわれる対象構造であるため、いずれから見ても同一に視覚される（図３、図４）。なお、上端には長尺キャップ４０、短キャップ４２が嵌着される。
【符号の説明】
【００２１】
P  間仕切
１  本体骨組
３  パネル
５  アタッチメント
９  竪枠（枠材）
１１  上下枠（枠材）
１３  中桟（枠材）
１７  口部両部片
１９  蟻溝
２３  硬質本体
２５  軟質ヒレ
２７  内鍔
２８  外鍔
２９  凸条
【図１】
2015045155.tif 000003
【図２】
2015045155.tif 000004
【図３】
2015045155.tif 000005
【図４】
2015045155.tif 000006
【図５】
2015045155.tif 000007
【図６】
2015045155.tif 000008